(57)【要約】      （修正有）【課題】座面と垂部の境界部が沈むことを防止し、人体や物品を安定して支持し、また編み製品の外観を向上させる。【解決手段】編み製品では、編地４の周囲がフレーム２に固定され、編地４は平坦面と平坦面から垂下する垂部とを有する。フレーム２は編地４の側部と垂部の底辺とを固定し、かつ垂部の底辺中央のフレーム２から、編地４に加わる張力を遮断もしくは制限する部分が編地４に設けられている。【選択図】図３
2014213145.tif 000002
【特許請求の範囲】
【請求項１】
編地の周囲がフレームに固定され、編地は平坦面と平坦面から垂下する垂部とを有する編み製品において、
前記フレームは編地の側部と垂部の底辺とを固定し、
垂部の底辺中央のフレームから、編地に加わる張力を遮断もしくは制限する部分が編地に設けられ、
かつ前記部分の両側でフレームが垂部の底辺を固定していることを特徴とする、編み製品。
【請求項２】
前記部分は、垂部の底辺中央に設けられている切り欠きであることを特徴とする、請求項１の編み製品。
【請求項３】
前記部分は、垂部の底辺中央の上部に設けられている孔であることを特徴とする、請求項１の編み製品。  
【請求項４】
前記編み製品は椅子もしくは台であることを特徴とする、請求項１〜３のいずれかの編み製品。
【請求項５】
周囲をフレームに固定されることにより、平坦面と平坦面から垂下する垂部とに成る編地において、
垂部の底辺中央となる編地のエリアに、フレームから編地に加わる張力を遮断もしくは制限する部分が設けられ、
かつ前記部分の両側がフレームにより固定されるように構成されていることを特徴とする、編地。
【発明の詳細な説明】
【技術分野】
【０００１】
この発明は、フレームにより編地を固定する、椅子、台等の編み製品に関する。
【背景技術】
【０００２】
フレームにより編地を固定する椅子として、図９のようなものが知られている。６０は椅子、２は金属あるいはプラスチック等のパイプ状のフレームで、編地６２に設けた筒１０を通って、編地６２を固定している。６４は人が腰を下ろす座面で、例えばその前後に垂部６６，６７がある。また編地６２の４個所の角に切り欠き１４が設けられて、フレーム２を筒１０へ挿入しやすくしてある。
【０００３】
座面６４の左右両側はフレーム２で固定されているが、前後にはフレーム２がない。編地６２に張力を持たせるため、垂部６６，６７の下端で、編地６２は図の白抜き矢印のように下向きに引かれている。このため座面６４と垂部６６，６７の境界部で、編地６２は沈み込んで、沈み込み部６８，６９が生じる。椅子６０を側面から見て図１０に示す。沈み込み部６８，６９のため、座面６４の前後中央部は人の太股等を支持するのに適さない形になっている。
【０００４】
この問題に関係して、特許文献１（JP2004-33542）は、座面の４周のフレームにより編地を固定する椅子を開示している。この椅子では、垂部はなく、また座面の前寄りの部分で編地を変形し難くしている。この椅子では、座面の前端にフレームがあるので、大腿が当たり易い。そこで前端のフレームを下げると、大腿等の支持が不安定になる。
【０００５】
特許文献２（JP2012-132123）は、布帛とフレームとを有する立体布帛を提案している。図１１はこの編地７０を示し、３個所に切り欠き７２，７４，７４があり、編地７０の４周にフレームを収容するための筒１０が設けられている。編地７０にフレーム７８を挿入し、円筒の半分に近い形状の立体布帛７６としたものを図１２に示し、（ａ）は正面視で、(ｂ)は平面視で、（ｃ）は側面視で示す。切り欠き７２，７４，７４の奧にフレーム７８を通して、編地７０を引くので、編地７０には局所的に強い力が加わる。例えば切り欠き７４，７４の間で編地７０が強く引かれるので、（ａ），（ｃ）に示すように、沈み込み部７９が生じる。一方、切り欠き７２の付近では、編地７０がフレーム７８側へ強く引かれるため、平坦部８０が生じる。  
【先行技術文献】
【特許文献】
【０００６】
【特許文献１】JP2004-33542
【特許文献２】JP2012-132123
【発明の概要】
【発明が解決しようとする課題】
【０００７】
以上のように、座面と垂部とが有る椅子で、座面前部の沈み込みを防止する技術は知られていない。この問題は椅子に限らず、荷物等を置く台、テーブル等でも同様である。
【０００８】
この発明の課題は、編地の周囲をフレームにより固定し、編地には座面と座面から向きが変わる垂部とが有る編み製品に対し、座面と垂部の境界での沈み込みを抑制することにある。沈み込みを抑制すると、座面は垂部との境界部の付近まで平坦になり、椅子の場合は座り心地が良くなり、台等の場合は物品を安定して支持でき、また編み製品の外観が向上する。
【課題を解決するための手段】
【０００９】
この発明は、編地の周囲がフレームに固定され、編地は平坦面と平坦面から垂下する垂部とを有する編み製品において、前記フレームは編地の側部と垂部の底辺とを固定し、垂部の底辺中央のフレームから、編地に加わる張力を遮断もしくは制限する部分が編地に設けられ、かつ前記部分の両側でフレームが垂部の底辺を固定していることを特徴とする。
【００１０】
この発明では、垂部の底辺中央のフレームから、編地に加わる張力を遮断もしくは制限する。このため平坦面と垂部の境界部が沈むことを、防止ないしは抑制でき、沈み込みが小さくなると、平坦面が人体や物品を支持できる面積が増し、座り心地が改善し、また置かれた物品が安定する。そして平坦面がよりフラットになり編み製品の外観が向上する。なおフレームから編地に加わる張力は、編地に熱溶着性繊維を用いて熱処理する場合は、熱処理時の張力が問題になり、熱処理を施さない場合は使用時にフレームから加わる張力が問題になる。さらに編地の側部とは平坦部の両側部と垂部の両側部のことである。垂部は平坦面の前後両側に設けても、あるいは前側等の一方にのみ設けても良い。
【００１１】
好ましくは、前記部分は垂部の底辺中央に設けられている切り欠きである。また好ましくは、前記部分は垂部の底辺中央の上部に設けられている孔である。垂部の底辺中央に切り欠きを設け、あるいは底辺中央の上部に孔を設けると、底辺中央のフレームが編地を引く張力を遮断できる。このため、平坦面と垂部との境界が沈み込みをより小さくできる。孔は円形、楕円形等が好ましく、これ以外に角形等でも良い。底辺中央の上部とは、底辺中央の直上部から垂部の上半部で平坦面には達しない範囲のことである。
【００１２】
編み製品は例えば椅子もしくは台である。椅子の場合、平坦面は人が腰を下ろす座面となり、垂部との境界部で座面が沈み込まないので、人の大腿を安定して支持できる。また椅子の場合も、物品を安定して支持できる面積が増す。
【００１３】
なおフレームを平坦面と垂部との境界に設けると、例えば椅子の場合、大腿を圧迫するそこで平坦面と垂部との境界にはフレームを設けないか、設けても境界の一部にとどめることが好ましい。
【００１４】
またこの発明は、周囲をフレームに固定されることにより、平坦面と平坦面から垂下する垂部とに成る編地において、垂部の底辺中央となるエリアに、フレームから編地に加わる張力を遮断もしくは制限する部分が設けられ、かつ前記部分の両側がフレームにより固定されるように構成されていることを特徴とする。フレームにより固定されるように構成されているとは、フレームを挿入する筒等が編地に設けられ、あるいはフレームに固定するための適宜の部分が設けられていることを意味する。この編地を椅子、台等に用いると、平坦面と垂部との境界が沈み込まない、あるいは沈み込みが小さい編み製品となる。
【図面の簡単な説明】
【００１５】
【図１】椅子のフレームの斜視図
【図２】椅子に張る編地の平面図
【図３】椅子の斜視図
【図４】図３のiv-iv方向鉛直断面図
【図５】背もたれのある椅子の斜視図
【図６】切り欠きの代わりに孔を設ける変形例での、編地の平面図
【図７】切り欠きの代わりに伸びやすい編地を用いる変形例での、椅子の斜視図
【図８】切り欠きの代わりに、編地を長くする変形例での、編地の平面図
【図９】従来例の椅子の斜視図
【図１０】図９の椅子の側面図
【図１１】特許文献２の編地の平面図
【図１２】特許文献２の椅子を示す図で、(a)は正面図、(b)は平面図、(c)は側面図である。
【発明を実施するための形態】
【００１６】
以下に、発明を実施するための最適実施例を示す。
【実施例】
【００１７】
図１〜図８に、椅子を例に実施例とその変形とを示すが、台、テーブル等でも同様である。図１〜図４は最初の実施例を示し、図１は椅子のフレーム２を示す。フレーム２は金属、プラスチック等から成り、図示しない継目により組立自在で、編地４の４周に設けた筒１０に挿入される。なおフレーム２は中実でも良く、また板状等の形状でも良い。図２はフレーム２に挿入されて、椅子となる編地４を展開して示す。６は座面、８は前方の垂部、９は後方の垂部で、座面６と垂部８，９の境界にはフレーム２を配置していない。編地４は４個所の角に切り欠き１４があり、垂部８，９の下端中央に例えば半円状の切り欠き１２，１２がある。そして切り欠き１４からフレーム２を挿入し、図３に示す椅子２０とする。なおフレーム２の挿入方法は多数あり、切り欠き１４を設けず、他の位置からフレーム２を挿入しても良い。切り欠き１２，１２は半円状の他、半楕円状、多角形状等、形状は任意である。
【００１８】
編地４は、例えば熱融着性の弾性糸と通常の合成樹脂繊維とを引き揃えて編成され、編地の種類自体は任意である。なお編地４を、熱融着性の弾性糸のみで編成しても、あるいは通常の合成樹脂繊維のみで編成しても良い。フレーム２を挿入した編地を、熱風炉等で加熱し、熱融着性の弾性糸を溶融させる。この結果、編地４を構成する糸が互いに結合されて、編地４は形状が固定されて、体重等の荷重を加えても変形し難くなる。なお通常の合成樹脂繊維のみで編地４を編成する場合、熱処理は不要である。また熱融着性の弾性糸は、例えば高融点のポリエーテル系のポリエステル繊維を芯材として、周囲を低融点の熱可塑性樹脂繊維の鞘で覆ったものである。
【００１９】
垂部８，９の下端中央に切り欠き１２，１２があるので、切り欠き１２内のフレーム１３は、編地を下へ引くことがない。このため、フレーム２から垂部８，９への張力は図３の白抜き矢印のように加わり、切り欠き１２，１２の上部を下方へ引く力は弱くなる。従って図４に示すように垂部８，９と座面６との境界部１５，１６の沈み込みが生じない。好ましくは境界部１５，１６は伸びにくい編地組織とする。例えば編地４の他の部分を伸びやすいリブ組織とする場合に、境界部１５，１６を伸びにくい天竺組織とする。また境界部１５，１６を天竺組織で編目数が他よりも少ないスムース編みで編成する、あるいは境界部１５，１６での編目当たりの糸長を他よりも短くするようにしても、伸びにくい編地となる。なお切り欠き１２，１２を設けない場合、フレーム１３からの張力で垂部の中央が下方に引かれ、座面６との境界部で沈み込みが生じる。
【００２０】
この明細書での前後左右を図３の下部のように定める。座面６の左右がこの部分のフレーム１７，１８で引かれるため、座面６は平面状である。加熱時に編地４は軟化するが、切り欠き１２，１２があるので、フレーム１３から下向きに引く力が加わらず、垂部８，９と座面６との境界部１５，１６は沈み込まない。また加熱時に、座面４はフレーム１７，１８で引かれて平面状を保つ。使用時に腰、太股、荷物等から重力が座面４に加わるが、熱溶着のため座面４は固く変形しにくくなっている。
【００２１】
垂部８，９と座面６との境界部１５，１６が沈み込まないと、椅子２０の外観が向上する。人が腰掛ける際に、垂部８，９との境界部１５，１６まで座面６が平坦なので、人体を支持できる面積が増し、座り心地が良くなる。椅子２０を台として使用する場合、置かれた荷物が安定する。なお座り心地のみを問題とする場合、後方の垂部９には切り欠き１２を設けなくても良い。また椅子の形状によっては、後方の垂部９を設けなくても良い。
【００２２】
図５は背もたれ２２のある椅子３０を示し、２１はフレームで、３１は編地である。２４は後傾部で、ほぼ水平に後側へ延び、２６は背もたれ２２と座面６との間の補強面で、伸びにくい編地で構成されている。例えば補強面２６では、編目当たりの糸長を短くして伸び難くし、あるいはスムース編み等の伸びにくい編地を用いる。他の点では図１〜図４の実施例と同様である。なお後傾部２４側の切り欠き１２は設けなくても良い。
【００２３】
図５の椅子３０では、切り欠き１２，１２のため、座面６は垂部８との境界付近までフラットで、背もたれ２２は上端付近まで平面状である。このため太股と腰と背中から首までを安定して支持できる。補強面２６のため、座面６と背もたれ２２との境界の中央部が盛り上がらず、座り心地がよい。そして編地３１は沈み込みも盛り上がりも少ないので、外観の良い椅子３０となる。
【００２４】
図６は、切り欠き１２、１２に代えて、孔３６，３６を設けた編地３４を示し、他の点では図２の編地４と同様である。孔３６，３６を設けると、フレーム２を挿入した際に、垂部８，９の底辺中央のフレーム１３，１３から、張力が加わりにくくなり、図１〜図４の実施例と同様に、座面６の前後の沈み込みを防止できる。
【００２５】
図７は切り欠き１２，１２の代わりに、伸びやすい伸縮部４４，４４を設けた椅子４０を示し、４２はその編地である。例えば伸縮部４４で、糸の素材を他と変える、あるいは伸縮部４４で編目当たりの糸長を増すことにより、伸びやすくする。また編地４２の長手方向がウェール方向である場合に、伸縮部４４をガーター組織で編成すると、伸縮部４４を伸びやすくできる。この方向がコース方向である場合は、伸縮部４４をリブ組織で編成すると、伸縮部４４を伸びやすくできる。これらのため、垂部８，９の底辺中央でフレームから加わる張力を緩和し、座面６と垂部８，９の境界部１５，１６での沈み込みを小さくできる。しかし伸縮部４４はフレーム２からの張力を制限するが遮断はしないので、座面６と垂部８，９の境界部１５，１６での沈み込みは小さくはなるが、図２〜図６の各例程には小さくならない。なお他の点では、図１〜図４の実施例と同様である。
【００２６】
図８は切り欠き１２，１２に代えて、突出部５２，５２を設けた編地５０を示す。引き返し編み等の成型編みにより、垂部８，９の底辺中央に相当する部分で、編地を図８の上下方向に延長した突出部５２，５２を設ける。これにより、垂部８，９の底辺中央でフレームから加わる張力を緩和し、座面６と垂部８，９の境界部１５，１６での沈み込みを小さくする。しかし沈み込みを、図２〜図６の各例程には小さくできない。他の点では、図１〜図４の実施例と同様である。
【００２７】
実施例と変形例では以下の効果が得られる。
1)  座面６と垂部８，９の境界部１５，１６が沈むことを、防止ないしは抑制する。
2)  座面６と垂部８，９の境界部１５，１６が沈み込まないと、座面６では人体や物品を支持できる面積が増し、座り心地が改善し、また置かれた物品が安定する。
3)  座面６がフラットになるので、椅子２０等の外観が向上する。
【００２８】
実施例では前後一対の垂部８，９を設けたが、前側の垂部８のみを設けても良い。この場合、座面６の後端側にはフレーム２を配置してもしなくても良い。実施例では編み製品の椅子と台を説明したが、机、キャビネット、家具、テーブル、ベッド等を実施例の編み製品で構成しても良い。また椅子には、乗り物用のシートとソファー、事務用のチェア等も含まれる。
【符号の説明】
【００２９】
２          フレーム
４          編地
６          座面
８，９      垂部
１０        筒
１２        切り欠き
１４        切り欠き
１５，１６  境界部
２０        椅子
２１        フレーム
２２        背もたれ
２４        後傾部
２６        補強面
３０        椅子
３１        編地
３４        編地
３６        孔
４０        椅子
４２        編地
４４        伸縮部
５０        編地
５２        突出部
６０        椅子
６２        編地
６４        座面
６６，６７  垂部
６８，６９  沈み込み部
７０        編地
７２，７４  切り欠き
７６        立体布帛
７８        フレーム
７９        沈み込み部
８０        平坦部
【図１】
2014213145.tif 000003
【図２】
2014213145.tif 000004
【図３】
2014213145.tif 000005
【図４】
2014213145.tif 000006
【図５】
2014213145.tif 000007
【図６】
2014213145.tif 000008
【図７】
2014213145.tif 000009
【図８】
2014213145.tif 000010
【図９】
2014213145.tif 000011
【図１０】
2014213145.tif 000012
【図１１】
2014213145.tif 000013
【図１２】
2014213145.tif 000014